(57)【要約】    【課題】高い防水機能を有し、風雨下でも快適な釣りを行うことができる釣用ウェアの提供。    【解決手段】この釣用ウェア１０は、釣人の上半身を包むウェア本体１１と、ウェア本体１１に設けられ、釣人の首周りを包む襟１２とを有する。襟１２の内側にフード１３が収容されている。襟口１４を絞るための襟口絞り機構１５が設けられている。フード１３の開口周縁部３２を絞るためのフード絞り機構２９が設けられている。襟１２の高さ寸法Ｈは、５０ｍｍ〜２００ｍｍに設定されている。襟口絞り機構１５は、ゴム紐３５と紐固定具３６とを有する。フード絞り機構２９は、ゴム紐３０と紐固定具３１とを有する。【選択図】図４
2006169670.tif 000002
【特許請求の範囲】
【請求項１】
襟口を絞るための襟口絞り機構が設けられている釣用ウェア。
【請求項２】
ウェア本体と、
ウェア本体に設けられ、着用者の首及び顔面の少なくとも一部を囲繞し得る襟と、
襟に出入自在に収容され、着用者の頭部を囲繞するフードとを備え、
上記襟口絞り機構は、上記襟に設けられている請求項１に記載の釣用ウェア。
【請求項３】
上記襟口絞り機構は、
襟の上縁に沿って内装され且つ端部が襟の外部に引き出されたゴム紐と、
襟に取り付けられ、ゴム紐を挟持し得る紐固定具とを有する請求項１又は２に記載の釣用ウェア。
【請求項４】
上記襟の高さは、５０ｍｍ〜２００ｍｍに設定されている請求項２又は３に記載の釣用ウェア。
【請求項５】
上記ゴム紐が引き出された部分及び上記紐固定具を覆うフラップが設けられている請求項３又は４に記載の釣用ウェア。
【請求項６】
上記フードの開口周縁部を絞るフード絞り機構が備えられている請求項２から５のいずれかに記載の釣用ウェア。
【請求項７】
上記フード絞り機構は、
上記開口周縁部に内装され且つ一部が露出されたゴム紐と、
上記フードに取り付けられ、上記露出したゴム紐を挟持し得る紐固定具とを有する請求項６に記載の釣用ウェア。
【請求項８】
上記フードの開口周縁部の下部を上記襟に着脱自在に取り付ける取付機構が設けられている請求項２から７のいずれかに記載の釣用ウェア。
【請求項９】
上記取付機構は、
上記開口周縁部の下部と襟との間に設けられたスナップを備えている請求項８に記載の釣用ウェア。
【請求項１０】
上記開口周縁部の下部が上記襟に取り付けられた状態で当該開口周縁部の下部を覆うフラップが設けられている請求項８又は９に記載の釣用ウェア。
【発明の詳細な説明】
【技術分野】
【０００１】
本発明は、釣りに使用されるアウターウェアの構造に関するものである。
【背景技術】
【０００２】
屋外レジャーである魚釣りは、天候の影響を直接に受ける。たとえば磯釣りでは、釣人は風雨の影響を直接に受けるし、また、船釣りでは、釣人は波飛沫の影響も受ける。そのため釣人は、悪天候での釣りにおいてレインウェア等のアウターウェアを着用することが多い。アウターウェアは、釣人が受ける雨の影響を最小限に抑えるためにフードを装備しているものが多く、また、風雨下でも雨水が身体まで浸透しないように種々の工夫がなされている（たとえば、特許文献１及び特許文献２参照）。
【０００３】
たとえば、特開２００１−２０１２６公報には、釣用ウェアに装着され得るフードが開示されている。このフードは、釣人の頭部を覆うと共にマスク片が釣人の顔面（口、鼻の周辺部）を覆う。これにより、釣人は、顔面の大部分がフードによって覆われ、実釣中の雨、風を凌ぐことができる。
【０００４】
【特許文献１】特開２００１−２０１２６公報
【特許文献２】特開２００２−３０５０３公報
【発明の開示】
【発明が解決しようとする課題】
【０００５】
しかし、特に船釣りでは、海上の風の強さとその向きによっては釣人に波飛沫が激しく衝突することがあり、その場合には、海水がアウターウェアを通過して釣人の身体まで到達してしまうことがある。これでは、釣人にとって快適な釣りを行うことはできない。
【０００６】
そこで、本発明の目的は、激しい風雨下でもこれを確実に防ぎ、快適な釣りを行うことができる釣用ウェアを提供することである。
【課題を解決するための手段】
【０００７】
(1) 上記目的が達成されるため、本発明に係る釣用ウェアは、襟口を絞るための襟口絞り機構が設けられていることを特徴とするものである。この構成によれば、襟口が絞られることによって、当該襟は、この釣用ウェアの着用者の顔面を押圧しながら覆うことができる。すなわち、当該襟は、着用者の顔面に隙間なく当接する。したがって、雨水等が襟と顔面との間から着用者の身体に進入することが抑制される。
【０００８】
(2) この釣用ウェアは、ウェア本体と、ウェア本体に設けられ、着用者の首及び顔面の少なくとも一部を囲繞し得る襟と、襟に出入自在に収容され、着用者の頭部を囲繞するフードとを備える。そして、上記襟口絞り機構は、上記襟に設けられている。この構成では、ウェア本体は、この釣用ウェアの着用者の身体を包む。襟は、着用者の首を囲繞し且つ顔面の少なくとも一部を囲繞すると共に、襟から取り出されたフードは、着用者の頭部を囲繞する。襟口絞り機構によって襟口が絞られることによって、当該襟は、着用者の顔面を押圧しながら首及び顔面を覆う。すなわち、当該襟は、着用者の顔面に隙間なく当接する。したがって、雨水等が襟と顔面との間から着用者の身体に進入することが抑制される。
【０００９】
(3) 上記襟口絞り機構は、襟の上縁に沿って内装され且つ端部が襟の外部に引き出されたゴム紐と、襟に取り付けられ、ゴム紐を挟持し得る紐固定具とを有して構成され得る。ゴム紐は、その端部が引っ張られることによって襟から外部に引き出される。この引き出されたゴム紐は、紐固定具によって挟持され、当該引き出された状態が維持される。これにより、襟口が絞られ、襟は、着用者の顔面に隙間なく当接する。しかも、襟口は、ゴム紐によって絞られるから、ゴム紐の弾性力によって襟が着用者の顔面に当接する。したがって、襟は、着用者の顔面に常時確実に当接する。
【００１０】
(4) 上記襟の高さは、５０ｍｍ〜２００ｍｍに設定されているのが好ましい。襟の高さがこのように設定されることにより、雨水等の侵入が確実に防止されると共に、着用者は、この釣用ウェアを違和感なく着用することができる。
【００１１】
(5) 上記ゴム紐が引き出された部分及び上記紐固定具を覆うフラップが設けられていてもよい。このフラップが設けられることにより、ゴム紐が引き出された部分から襟の内部に雨水等が侵入することが防止されるし、紐固定具が露出することがないので、紐固定具にたとえば釣糸等が引っ掛かることも防止される。
【００１２】
(6) 上記フードの開口周縁部を絞るフード絞り機構が備えられていてもよい。着用者の顔面は、フードの開口部から露出する。このフードの開口周縁部が絞られることによって、フードの開口周縁部も着用者の顔面に隙間なく当接する。これにより、フードの開口周縁部から雨水等が侵入することも防止される。
【００１３】
(7) 上記フード絞り機構は、上記開口周縁部に内装され且つ一部が露出されたゴム紐と、上記フードに取り付けられ、上記露出したゴム紐を挟持し得る紐固定具とを有して構成され得る。ゴム紐は、上記露出した部分が引っ張られることによって上記開口周縁部から外部に引き出される。この引き出されたゴム紐は、紐固定具によって挟持され、当該引き出された状態が維持される。これにより、上記開口周縁部が絞られ、着用者の顔面に隙間なく当接する。しかも、上記開口周縁部は、ゴム紐によって絞られるから、ゴム紐の弾性力によってフードが着用者の顔面に当接する。したがって、フードは、着用者の顔面に常時確実に当接する。
【００１４】
(8) 上記フードの開口周縁部の下部を上記襟に着脱自在に取り付ける取付機構が設けられていてもよい。この取付機構により、フードの開口周縁部が上記襟に取り付けられる。これにより、フードは、より確実に着用者の顔面に当接し、強い風が吹いてもフードと着用者の顔面との間に隙間が生じることはない。
【００１５】
(9) 上記取付機構は、上記開口周縁部の下部と襟との間に設けられたスナップを備えているのが好ましい。上記開口周縁部の下部は、スナップを介して襟に着脱自在に取り付けられる。スナップが採用されることにより、取付機構が簡単且つ安価に構成される。
【００１６】
(10)さらに、上記開口周縁部の下部が上記襟に取り付けられた状態で当該開口周縁部の下部を覆うフラップが設けられているのが好ましい。
【発明の効果】
【００１７】
本発明によれば、釣人がこの釣用ウェアを着用すると、所要時に襟口が絞られるので、激しい風雨下でも雨水や波飛沫が確実に遮られ、快適な釣りを行うことができる。
【発明を実施するための最良の形態】
【００１８】
以下、適宜図面が参照されつつ、好ましい実施形態に基づいて本発明が詳細に説明される。
【００１９】
図１は本発明の一実施形態に係る釣用ウェアの正面図であり、図２は要部背面図である。この釣用ウェア１０は、釣人が実釣時にアウターウェアとして着用するものであって、特に船釣りや磯釣りに使用される。釣用ウェア１０は、釣人の上半身を包むウェア本体１１と、ウェア本体１１に設けられ、釣人の首周りを包む襟１２と、襟１２の内側に収容されたフード（１３）と、襟口１４を絞るための襟口絞り機構１５とを備えている。本実施形態に係る釣用ウェア１０の特徴とするところは、この襟口絞り機構１５が設けられている点であり、これにより、襟１２が釣人の首及び顔面の少なくとも一部を確実に囲繞し、強い風雨下であっても雨水等が身体まで浸透せず、釣人は、快適な釣りを行うことができるようになっている。以下、釣用ウェア１０の構造についてさらに詳述される。
【００２０】
ウェア本体１１は、防水性及び透湿性が確保されるために透湿性防水生地から構成されているのが好ましい。本実施形態では、ウェア本体１１は、複数の生地１６〜２０により縫製されている。ただし、ウェア本体１１を構成する生地の数は、特に限定されるものではないし、生地の種類も透湿性防水生地に限定されるものではない。
【００２１】
このウェア本体１１は、前面中央部にスライドファスナー（図示せず）が設けられており、前面が開閉自在となっている。釣人は、スライドファスナーを解放してこの釣用ウェア１０を着用し、その状態でスライドファスナーを閉じる。これにより、ウェア本体１１は、当該釣人の上半身を確実に包み込む。図１が示すように、ウェア本体１１の前面の中央部に前立て２１が設けられている。上記スライドファスナーが閉じられた状態で前立て２１が生地１６に重ね合わされることによって効果的な防水機能が発揮され、水が上記スライドファスナーから侵入することが防止される。本実施形態では、上記前立て２１は二重構造を有している。すなわち、左右の生地１６にそれぞれ前立て２１が設けられており、前後方向（紙面に垂直な方向）に重ね合わせられるようになっている。各前立て２１は、面ファスナー２２を介して接着固定され、これにより、より効果的な防水機能が発揮される。
【００２２】
なお、ウェア本体１１は、ポケット２３を備えている。これにより、釣人は、実釣時に適宜小物を携帯しておくことができる。また、このウェア本体１１は、図示されていない通気孔を備えている。この通気孔は、生地１６の上方（生地１６と生地１９との境界部分）に設けられており、生地１９がこの通気口を覆っている。これにより、ウェア本体１１は、きわめて高い透湿性を備えることになる。加えて、ウェア本体１１の袖口２４には、ゴムバンド２５が設けられている。このゴムバンド２５は、面ファスナー等により束ねることができるようになっている。これにより、上記袖口２４は、釣人の手首に隙間なく当接することができ、袖口２４からの浸水が確実に防止される。
【００２３】
襟１２は、ウェア本体１１の首部に連続して設けられている。襟１２もウェア本体１１と同様に、透湿性防水生地から構成されているのが好ましい。図１及び図２が示すように、襟１２は、ウェア本体１１から上方に起立するように形成されている。したがって、釣人がこの釣用ウェア１０を着用したときは、襟１２は、釣人の首及び顔面を囲繞する。本実施形態では、この襟１２の高さ寸法Ｈは、５０ｍｍ〜２００ｍｍに設定されている。このように高さ寸法Ｈが設定されることにより、襟１２は、釣人の首及び顔面の目から下の部分を有効に覆うことができる。
【００２４】
襟１２の後部では生地が二重に配置されており、袋状に形成されている。外側の生地２６は、内側の生地に着脱自在に取り付けられている。本実施形態では、両生地の間にスナップ２７が設けられている。上記フード（１３）は、この襟１２の後部に収容されており、上記スナップ２７が外されることによってフード（１３）が襟１２から引き出されるようになっている。
【００２５】
図３及び図４は、フード１３が襟１２から取り出された状態を示している。これらの図が示すように、フード１３は、開口２８を備えた袋状に形成されており、開口２８の下縁部が襟１２の後部下縁に沿って取り付けられている。フード１３も襟１２を構成する生地と同様に透湿性防水生地からなる。この袋状のフード１３は、常時は折りたたまれた状態で襟１２の内部に収容されているが、図３が示すように、襟１２から取り出され展開されることによって、釣人の頭部に被せられる。
【００２６】
フード１３は、フード絞り機構２９を備えている。フード絞り機構２９は、ゴム紐３０と紐固定具３１とを有する。フード１３の開口周縁部３２は、細長のチューブ状に形成されており、ゴム紐３０は、この開口周縁部３２に沿って内装されている。このゴム紐３０は、図３及び図４が示すように、その一部がフード１３の左右の端部に露出している。そして、この部分に上記紐固定具３１が配置されている。紐固定具３１は既知の構造であり、所要時にゴム紐３０を固定することができるようになっている。したがって、釣人は、フード１３を被った状態でゴム紐３０を引っ張ることによって、フード１３の開口周縁部３２が絞られ、フード１３が釣人の顔面に確実に当接する。
【００２７】
図３及び図４が示すように、フード１３の下部には一対の舌片３３が左右対称に設けられている。この舌片３３は、フード１３と一体的に形成されている。この舌片３３は、フード１３を襟１２に取り付けるための取付機構３４を構成している。この取付機構３４については、後述される。
【００２８】
図５は、襟１２が開かれた状態での拡大図である。図１及び図５が示すように、前述の襟口絞り機構１５は、ゴム紐３５と一対の紐固定具３６とを備えている。ゴム紐３５は、襟口１４の上縁３７に沿って配置されている。この襟口１４は、細長のチューブ状に形成されており、ゴム紐３５は、この襟口１４に内装されている。ゴム紐３５は、その両端部が襟１２の外部に引き出されている。すなわち、ゴム紐３５は、襟１２の上縁３７に沿って環状に配置され、襟１２の前部から外側に引き出されて垂下している。
【００２９】
本実施形態では、襟１２の前部に紐挿通ベルト３８が設けられており、ゴム紐３５は、この紐挿通ベルト３８に挿通支持されている。これにより、風が吹いてもゴム紐３５がふらふらすることはない。なお、ゴム紐３５の両端に抜止部材３９が設けられている。これにより、ゴム紐３５が襟口１４から容易に抜脱されることはないし、釣人は、抜止部材３９を持ってゴム紐３５を容易に引っ張ることができる。
【００３０】
図６は、図５における要部拡大図であり、紐固定具３６の構造が示されている。紐固定具３６は、外筒部４０と、外筒部４０に嵌め込まれた内筒部４１とを備えている。この外筒部４０は、図示されていない紐により襟１２に固定されている。外筒部４０及び内筒部４１には、同図が示すような貫通孔が設けられている。ゴム紐３５は、前述のように襟口１４に沿って内装されており、襟１２に設けられた孔５７から外部に引き出されている。この孔５７にはリング５８が嵌め込まれており、鳩目が形成されている。ゴム紐３５は、上記外筒部４０及び内筒部４１に設けられた貫通孔に挿通されている。内筒部４１は、外筒部４０に対して常時突出する方向に弾性伏勢されている。したがって、常時においてゴム紐３５は、外筒部４０と内筒部４１との間に挟み込まれて一定の保持力で保持されている。
【００３１】
所要時に内筒部材４１が外筒部材４０の内部に押し込まれることによって、両者に設けられた貫通孔の位置が一致し、これによりゴム紐３５は、当該貫通孔を自由に挿通することができる。したがって、釣人が襟口１４を絞ろうとするときは、内筒部材４１を外筒部材４０の内部に押し込んだ状態でゴム紐３５を引っ張ればよい。ただし、内筒部材４１が外筒部材４０の内部に押し込まれなくても、ゴム紐３５が上記保持力に抗して引っ張られることにより、ゴム紐３５が襟口１４から引き出され、襟口１４が絞られる。
【００３２】
図４及び図６が示すように、紐固定具３６は、フラップ４２によって覆われている。このフラップ４２は、襟１２に設けられ、襟１２の上縁３７から下方に延びている。フラップ４２も襟１２を構成する生地と同様の生地からなる。紐固定具３６は、このフラップ４２の内側において襟１２に固定されている。フラップ４２が設けられることにより、ゴム紐３５が引き出された部分及び紐固定具３６が被覆されており、これにより、雨水等が上記ゴム紐３５が引き出された部分に侵入することはない。なお、本実施形態では、フラップ４２は台形状に形成されており、襟１２の上縁３７及び前立て２１に沿って縫いつけられている。ただし、フラップ４２の形状は種々の設計変更が可能であることは勿論である。
【００３３】
図７は、図４における要部拡大図であり、上記取付機構３４の構造が示されている。取付構造３４は、前述の舌片３３と、スナップ４３とを備えている。スナップ４３は、スタッド４４及びソケット４５を有し、スタッド４４は襟１２側に設けられ、ソケット４５は舌片３３側に設けられている。もっとも、スタッド４４が舌片３３側に設けられ、ソケット４５が襟１２側に設けられていてもよい。
【００３４】
襟１２は、フラップ４６を備えている。このフラップ４６は、上記フラップ４２の下側（襟１２により近い側）に設けられている。フラップ４６も襟１２を構成する生地と同様の生地からなる。フラップ４６は、襟１２の前部を覆うように配置され、襟１２の上縁３７、下縁及び上記前立て２１に沿って縫いつけられている。フラップ４６は、襟１２に設けられたスタッド４４を覆っている。
【００３５】
上記舌片３３は、襟１２に固定される。具体的には、舌片３３に設けられたソケット４５が襟１２に設けられたスタッド４４に嵌め込まれる。両者の嵌合が解除されると、舌片３３は襟１２から取り外される。上記フラップ４６が設けられていることから、舌片３３が襟１２に取り付けられた状態で、上記フラップ４６によって舌片３３（フードの開口周縁部の下部）が覆われる。これにより、舌片３３がフラップ４６により保護されるから、舌片３３が他の障害物に引っ掛かる等により容易に襟１２から外れてしまうことはない。
【００３６】
このフラップ４６と襟１２との間に面ファスナー４７が設けられている。この面ファスナー４７は、襟１２側に設けられたループテープ（雌型）とフラップ４６側に設けられたフックテープ（雄型）とを備える。もっとも、襟１２側にフックテープが設けられ、フラップ４６側にループテープが設けられていてもよい。これにより、上記舌片３３が襟１２に取り付けられないときは、フラップ４６は、面ファスナー４７によって襟１２に固定されている。
【００３７】
また、本実施形態では、上記舌片３３に面ファスナー５５が設けられている。この面ファスナー５５は、ループテープからなり、舌片３３の裏面（図８において現れている舌片３３の裏面）に取り付けられている。したがって、上記舌片３３が襟１２に取り付けられた状態で、舌片３３側の面ファスナー５５と襟１２側の面ファスナー４７（フックテープ）とが係合し、舌片３３は確実に襟１２側に固定される。もっとも、舌片３３の面ファスナー５５は省略されてもよい。
【００３８】
図８は、釣用ウェア１０の要部拡大正面図である。図９はフード１３が使用されている状態での釣用ウェア１０の要部拡大正面図、図１０は、斜視図である。
【００３９】
釣人がこの釣用ウェア１０を着用したときには、ウェア本体１１が当該釣人の上半身を包む。襟１２は、釣人の首を囲繞し且つ顔面の一部（特に目から顎に至る領域）を囲繞する。風雨の場合には、釣人は襟１２からフード１３を取り出して被る。これにより、釣人の頭部は、フード１３によって囲繞される。
【００４０】
図８が示すように、襟口絞り機構１５によって襟口１４が絞られる。これにより、襟１２は、釣人の顔面を押圧しながら首及び顔面の一部を覆う。すなわち、襟１２は、釣人の顔面に隙間なく当接する。したがって、実釣中に風雨が激しくなった場合であっても、雨水等が襟１２と顔面との間から侵入することが抑制される。
【００４１】
前述のように、襟口１４が絞られる際には、ゴム紐３５の端部が引っ張られることによって襟１２から外部に引き出される。この引き出されたゴム紐３５は、上記紐固定具３６によって挟持されるので、襟口１４が確実に絞られ、襟１２は、釣人の顔面に隙間なく当接する。本実施形態では、襟口１４はゴム紐３５によって絞られるから、ゴム紐３５の弾性力によって襟１２が釣人の顔面に当接する。したがって、襟１２は、釣人の顔面に常時確実に当接し、雨水等の侵入が確実に阻止される。
【００４２】
また、上記フラップ４２が設けられているので、ゴム紐３５が引き出された部分から襟１２の内部に雨水等が侵入することが防止されるし、紐固定具３６が露出することがないので、紐固定具３６にたとえば釣糸等が引っ掛かることも防止される。さらに、フード１３の舌片３３は、図９、図１０が示すように襟１２の内側に固定されるから、前述のように、実釣時にフード１３が容易に襟１２から外れてしまうことが防止される。
【００４３】
釣人は、必要に応じてフード絞り機構２９を操作して上記フード１３の開口周縁部３２を絞ることができる。釣人の顔面は、フード１３の開口２８から露出するが、この開口周縁部３２が絞られることによって、当該開口周縁部３２が釣人の顔面に隙間なく当接する。したがって、フード１３の開口周縁部３２から雨水等が侵入することも防止される。
【００４４】
図１１は、フード絞り機構２９の構造を示す拡大図である。前述のように、フード１３の開口周縁部３２が絞られるときは、ゴム紐３０が引っ張られ、その状態で紐固定具３１に係合固定される。この紐固定具３１は、ゴム紐３０が自由に挿通される挿通孔４８と、ゴム紐３０が固定される係合孔４９とを備えている。挿通孔４８と係合孔４９とは、連続されている。紐固定具３１は、弾性部材（典型的にはゴム）からなり、係合孔４９の内径寸法は、ゴム紐３０の外径寸法よりも小さく設定されている。したがって、挿通孔４８から係合孔４９にゴム紐３０が移動されると、ゴム紐３０は、係合孔４９を区画する壁面によって締め付けられ、固定される。これにより、上記開口周縁部３２が絞られ、釣人の顔面に隙間なく当接する。しかも、この開口周縁部３２は、ゴム紐３０によって絞られるから、ゴム紐３０の弾性力によってフード１３が釣人の顔面に確実に当接する。
【００４５】
前述のように、襟１２の高さが５０ｍｍ〜２００ｍｍに設定されているから（図１参照）、襟１２は、釣人の首及び顔面の目から下の部分を有効に覆うことができる。したがって、釣人がフード１３を被ることによって頭部及び顔面の大部分が覆われるので、雨水等の侵入が確実に防止されるという利点がある。
【００４６】
さらに、上記取付機構３４（図７参照）により、フード１３の舌片３３が襟１２に固定される。これにより、フード１３は、より確実に釣人の顔面に当接し、強い風が吹いてもフード１３と釣人の顔面との間に隙間が生じることはない。したがって、特に風雨の影響を受けやすい船釣りにおいても、釣人は快適な釣りを行うことができる。
【００４７】
図１２は、本実施形態の変形例に係る釣用ウェアの要部背面図である。本実施形態では、襟口絞り機構１５は、図１が示すように襟１２の前側に配置されていたが、本変形例では、襟口絞り機構１５は、図１２が示すように襟１２の後側に配置されている。この襟口絞り機構１５は、ゴム紐３５と紐固定具３６とを備えている。ゴム紐３５は、襟口１４の上縁３７に沿って配置されている。この襟口１４は、細長のチューブ状に形成されており、ゴム紐３５は、この襟口１４に内装されている。ゴム紐３５は、その中間部が襟１２の外部に引き出されている。
【００４８】
すなわち、ゴム紐３５は、襟１２の上縁３７に沿って環状に配置され、襟１２の後部から外側に引き出されている。紐固定具３６は、上記実施形態に係る紐固定具３６と同様の構成であり、襟１２の後部に取り付けられている。上記ゴム紐３５の中間部は、この紐固定具３６によって挟持されている。ゴム紐３５が図中手前側に引っ張られることによって、上記実施形態と同様に襟口１４が絞られるようになっている。
【産業上の利用可能性】
【００４９】
本発明は、船釣りや磯釣りの際に使用される釣用ウェアに適用され得る。
【図面の簡単な説明】
【００５０】
【図１】図１は、本発明の一実施形態に係る釣用ウェアの正面図である。
【図２】図２は、本発明の一実施形態に係る釣用ウェアの要部背面図である。
【図３】図３は、本発明の一実施形態に係る釣用ウェアの襟の拡大図である。
【図４】図４は、本発明の一実施形態に係る釣用ウェアの襟の拡大図である。
【図５】図５は、本発明の一実施形態に係る釣用ウェアの襟の拡大図であり、襟が開かれた状態が示されている。
【図６】図６は、図５における要部拡大図である。
【図７】図７は、図４における要部拡大図である。
【図８】図８は、本発明の一実施形態に係る釣用ウェアの要部拡大正面図である。
【図９】図９は、本発明の一実施形態に係る釣用ウェアの要部拡大正面図であり、フードが使用されている状態が示されている。
【図１０】図１０は、本発明の一実施形態に係る釣用ウェアの斜視図であり、フードが使用されている状態が示されている。
【図１１】図１１は、本発明の一実施形態に係る釣用ウェアのフード絞り機構の構造を示す拡大図である。
【図１２】図１２は、本発明の一実施形態の変形例に係る釣用ウェアの要部背面図である。
【符号の説明】
【００５１】
１０・・・釣用ウェア
１１・・・ウェア本体
１２・・・襟
１３・・・フード
１４・・・襟口
１５・・・襟口絞り機構
２１・・・前立て
２２・・・面ファスナー
２３・・・ポケット
２６・・・外側の生地
２７・・・スナップ
２８・・・開口
２９・・・フード絞り機構
３０・・・ゴム紐
３１・・・紐固定具
３２・・・開口周縁部
３３・・・舌片
３４・・・取付機構
３５・・・ゴム紐
３６・・・紐固定具
３７・・・上縁
３８・・・紐挿通ベルト
４２・・・フラップ
４３・・・スナップ
４６・・・フラップ
４７・・・面ファスナー
５５・・・面ファスナー
【図１】
2006169670.tif 000003
【図２】
2006169670.tif 000004
【図３】
2006169670.tif 000005
【図４】
2006169670.tif 000006
【図５】
2006169670.tif 000007
【図６】
2006169670.tif 000008
【図７】
2006169670.tif 000009
【図８】
2006169670.tif 000010
【図９】
2006169670.tif 000011
【図１０】
2006169670.tif 000012
【図１１】
2006169670.tif 000013
【図１２】
2006169670.tif 000014